(57)【要約】【課題】安全柵をエレベーターから離れた場所から作業員が運ぶ必要のないエレベーターの乗りかごを提供する。【解決手段】エレベーターの乗りかごは、かご室と、かご室の床に、床に対して移動可能に取付けられるかご敷居と、かご敷居の下方に配置される収納部と、収納部に収納される安全柵とを備える。よって、エレベーターが設置された建物に安全柵の保管場所を設ける必要がなく、エレベーターの保守点検時に、保管場所から安全柵を運ぶ必要がない。【選択図】図３
2019189401.tif 000002
【特許請求の範囲】
【請求項１】
かご室と、
前記かご室の床に、前記床に対して移動可能に取付けられるかご敷居と、
前記かご敷居の下方に設けられる収納部と、
前記収納部に収納される安全柵とを備える、
エレベーターの乗りかご。
【請求項２】
前記収納部は、上部開口部を有する筒状に形成され、
前記上部開口部は、前記かご敷居によって塞がれており、
前記収納部に収納される前記安全柵は、前記かご敷居を移動させて前記上部開口部を開放することにより、前記収納部から取り出される、
請求項１に記載のエレベーターの乗りかご。
【請求項３】
前記かご敷居の長手方向の一端側は、前記床に垂直な面内で回転可能に前記床に取付けられており、
前記安全柵は、前記かご敷居の長手方向の他端側を持ち上げることにより前記収納部から取り出される、
請求項１または２に記載のエレベーターの乗りかご。
【請求項４】
前記収納部の乗降口側の側面は、
エプロンの少なくとも一部を構成する、
請求項１から３のいずれか一項に記載のエレベーターの乗りかご。
【請求項５】
前記収納部は、下部開口部を有し、
前記収納部に収納される前記安全柵は、前記下部開口部の縁部で支持され、
前記安全柵の少なくとも一部は、前記下部開口部から前記収納部の外に露出してエプロンの少なくとも一部を構成する、
請求項１から３のいずれか一項に記載のエレベーターの乗りかご。
【請求項６】
前記収納部は、上部収納部と下部収納部とにより構成され、
前記上部収納部と前記下部収納部とは、いずれか一方の少なくとも一部が他方の内側に収容可能となっており、
前記収納部は、前記上部収納部または前記下部収納部のいずれか一方の少なくとも一部が他方の内側に収容されることにより、上下方向に収縮可能である、
請求項１から４のいずれか一項に記載のエレベーターの乗りかご。
【請求項７】
前記安全柵は、
上部支柱によって支持される上部安全柵と、下部支柱によって支持される下部安全柵とにより構成され、
前記上部安全柵と前記下部安全柵とは、表裏方向に離間して配置されており、
前記上部支柱の少なくとも一部は、前記下部支柱の内側に収容可能となっており、
前記安全柵は、前記上部支柱の少なくとも一部が前記下部支柱の内側に収容されて、前記上部安全柵と前記下部安全柵とが表裏方向に重なり合うことにより、上下方向に収縮可能である、
請求項１から６のいずれか一項に記載のエレベーターの乗りかご。
【発明の詳細な説明】
【技術分野】
【０００１】
本発明は、保守点検時に乗場に設置される安全柵の収納部を有するエレベーターの乗りかごに関する。
【背景技術】
【０００２】
エレベーターの保守点検時には、エレベーターの乗り場に、作業者以外の不特定者がエレベーターの出入口付近に侵入することを防止する安全柵を設置している。そして、安全柵は、非使用時にはエレベーターの機械室等に保管されていた。
【０００３】
しかし、近年、機械室を設けず、昇降路のピットに機械設備を配置した、いわゆる機械室レスエレベーターが普及してきている。機械室レスエレベーターの場合、点検作業用の安全柵の置き場所がない。このため、安全柵を営業所、管理センタなどから作業員が運んで設置し、作業終了後には安全柵を持ち帰っていた。しかし、安全柵は自立させるために厚みを必要とし、折り畳んだとしても持運びは容易ではない。
【０００４】
そこで、運搬が容易で、狭小なスペースに収納可能なエレベーターの安全柵が開示されている（例えば特許文献１参照）。
【先行技術文献】
【特許文献】
【０００５】
【特許文献１】特開２００２−３０２３５５号公報
【発明の概要】
【発明が解決しようとする課題】
【０００６】
しかしながら、特許文献１の安全柵は、運搬が容易で、狭小なスペースに収納可能であっても、エレベーターの近くに収納場所がない場合には、収納場所から作業員が運んで設置し、作業終了後には収納場所まで運ぶ必要があった。
【０００７】
本発明は、上記のような課題を解決するためになされたものであり、安全柵をエレベーターから離れた場所から作業員が運ぶ必要のないエレベーターの乗りかごを提供することを目的とする。
【課題を解決するための手段】
【０００８】
本発明に係るエレベーターの乗りかごは、かご室と、かご室の床に、床に対して移動可能に取付けられるかご敷居と、かご敷居の下方に配置される収納部と、収納部に収納される安全柵とを備える。
【発明の効果】
【０００９】
本発明は、かご室のかご敷居の下方に安全柵を収納するので、エレベーターが設置された建物に安全柵の保管場所を設ける必要がなく、エレベーターの保守点検時に、保管場所から安全柵を運ぶ必要がない。これにより、保守点検時の作業員の負担を軽減することができる。
【図面の簡単な説明】
【００１０】
【図１】本発明の実施の形態１におけるエレベーターの乗りかごが配置される昇降路の例を側方から見た概略断面図である。
【図２】本発明の実施の形態１におけるエレベーターの乗りかごに備えられる安全柵の使用状態を示す正面図である。
【図３】本発明の実施の形態１におけるエレベーターの乗りかごに安全柵が収納された状態を示す正面図である。
【図４】本発明の実施の形態１におけるエレベーターの乗りかごに安全柵が収納された状態で、乗りかごがピットの緩衝器まで下降した状態を示す図である。
【図５】本発明の実施の形態１におけるエレベーターの乗りかごの収納部から安全柵を取り出す手順を説明する図である。
【図６】本発明の実施の形態１におけるエレベーターの乗りかごの収納部から安全柵を取り出す様子を示す正面図である。
【図７】本発明の実施の形態１におけるエレベーターの乗りかごの第１変形例を示す図である。
【図８】本発明の実施の形態１におけるエレベーターの乗りかごの第２変形例を示す図である。
【図９】本発明の実施の形態１におけるエレベーターの乗りかごの第３変形例を示す図である。
【発明を実施するための形態】
【００１１】
以下、本発明のエレベーターの乗りかごの好適な実施の形態１につき、図面を用いて説明する。
【００１２】
実施の形態１．
図１は、本発明の実施の形態１におけるエレベーターの乗りかご２０が配置される、機械室レスエレベーターの昇降路１０を側方から見た概略断面図である。
【００１３】
図１に示すように、昇降路１０には、乗りかご２０、主索３０、巻上機４０、つり合い錘５０、制御盤６０、緩衝器７０が設置される。また、昇降路１０のエレベーターの乗降口１１には、乗り場ドア８０が設置される。
【００１４】
巻上機４０、制御盤６０、緩衝器７０は、昇降路１０のピット１２に設置される。主索３０の一端側は、乗りかご２０に接続される。主索３０の他端側は、巻上機４０の綱車に巻き掛けられて、つり合い錘５０に接続される。
【００１５】
乗りかご２０は、かご室２１、かご室ドア２２、かご敷居２３、エプロン２４、安全柵１００を有する。なお、エプロン２４は、安全柵１００の収納部を構成する。
【００１６】
ここで、安全柵１００について説明する。
【００１７】
図２は、エレベーターの乗降口１１を乗り場側から見た図である。図２に示すように、エレベーターの点検時には、例えば「点検中」と表示した安全柵１００によって乗降口１１を塞ぐ。これにより、エレベーターの点検中に、乗客が乗降口１１を通過して昇降路１０内に進入することを防止する。
【００１８】
安全柵１００は、上部安全柵１１０と下部安全柵１２０とによって構成される。
【００１９】
上部安全柵１１０は、上部パネル１１１、上部パネル固定部材１１２、上部支柱１１３，１１４によって構成される。上部パネル１１１には、例えば「点検中」など、注意を促す言葉または記号が、印刷、貼り付けなどによって表示される。上部パネル１１１の上部側は、上部パネル固定部材１１２に固定される。上部パネル固定部材１１２の一端側は、上部支柱１１３の一端側に支持される。上部パネル固定部材１１２の他端側は、上部支柱１１４の一端側に支持される。
【００２０】
下部安全柵１２０は、下部正面パネル１２１、下部側面パネル１２２，１２３、下部支柱１２４，１２５によって構成される。下部正面パネル１２１の一端側は、下部支柱１２４に支持される。下部正面パネル１２１の他端側は、下部支柱１２５に支持される。
【００２１】
下部側面パネル１２２の一端側は、下部正面パネル１２１の裏面の一端側に、図示しない蝶番を介して接続される。同様に、下部側面パネル１２３の一端側は、下部正面パネル１２１の裏面の他端側に、図示しない蝶番を介して接続される。
【００２２】
安全柵１００を使用するときには、図２に示すように、下部正面パネル１２１と下部側面パネル１２２，１２３とがアーチ状になるように、下部側面パネル１２２，１２３を広げて設置する。安全柵１００を使用しないときには、下部側面パネル１２２，１２３を下部正面パネル１２１の裏面側に重ねて畳む。これにより、安全柵１００の非使用時の大きさを小さくすることができる。
【００２３】
上部支柱１１３，１１４の他端側は、それぞれ下部支柱１２４，１２５の内側に、下部支柱１２４，１２５の長手方向に沿って移動可能に配置される。下部支柱１２４，１２５の中には、それぞれ図示しないばね部材が配置される。上部支柱１１３，１１４は、それぞれこのばね部材によって下部支柱１２４，１２５の内部から外部に向けて付勢される。
【００２４】
安全柵１００が図２のように設置された状態で、上部パネル固定部材１１２を上方から下方に向かって押圧すると、上部支柱１１３，１１４は、それぞれ下部支柱１２４，１２５の内部に配置されたばね部材を圧縮させながら下部支柱１２４，１２５の中に押し込まれる。
【００２５】
上部パネル１１１は、下部正面パネル１２１の表側に位置する。そして、上部パネル１１１と下部正面パネル１２１とは、互いに表裏方向に離間して配置される。これにより、上部支柱１１３，１１４がそれぞれ下部支柱１２４，１２５の中に押し込まれる場合には、上部パネル１１１と下部正面パネル１２１とが表裏方向に重なり合う。なお、上部パネル１１１は、下部正面パネル１２１の裏側に配置されてもよい。
【００２６】
なお、本実施の形態１では、下部正面パネル１２１及び下部側面パネル１２２，１２３には、注意を促す言葉または記号の表示がされていないが、下部正面パネル１２１及び下部側面パネル１２２，１２３のいずれかまたは全部に表示をしてもよい。
【００２７】
次に、図１及び図３を用いて、かご敷居２３と、安全柵１００の収納部として機能するエプロン２４について説明する。図３は、図１のＡ部をエレベーターの乗降口１１側から見た図である。
【００２８】
かご敷居２３は、かご室２１の床２１ａの乗降口１１側に配置される。かご敷居２３の上面には、長手方向に沿って溝が形成されている。かご敷居２３は、この溝によって、かご室ドア２２の開閉時にかご室ドア２２の下部を案内する。
【００２９】
かご敷居２３は、乗降口１１側から見て左側に配置される左かご敷居２３１と、中央に配置される中央かご敷居２３２と、右側に配置される右かご敷居２３３とにより構成される。左かご敷居２３１、中央かご敷居２３２、右かご敷居２３３は、それぞれねじ部材９０によって、床２１ａの段部２１ｂに取り付けられる。
【００３０】
エプロン２４は、中央かご敷居２３２の下方に配置される。エプロン２４は、乗りかご２０が乗り場の正規の位置に着床できなかった場合に、乗りかご２０の下方に生じる隙間部分から、エレベーターを利用しようとした者などが昇降路１０内に転落することを防止するものである。
【００３１】
本実施の形態１のエプロン２４は、上部収納部としての上部エプロン２４１と、下部収納部としての下部エプロン２４２とによって構成される。上部エプロン２４１は、上部開口部２４１０及び下部開口部２４１１を有する筒状に形成される。上部開口部２４１０は、中央かご敷居２３２によって塞がれている。また、下部エプロン２４２は、上部に下部エプロン開口部２４２０を有する箱状に形成される。
【００３２】
上部エプロン２４１は、かご室２１の床２１ａの乗降口１１側の側面１１ｃに、ねじ部材９１によって固定される。下部エプロン２４２の上部は、上部エプロン２４１の内側に挿入されて、上部エプロン２４１の下部開口部２４１１の縁部２４１２に支持される。下部エプロン２４２は、上部エプロン２４１の内側で、上下に移動可能となっている。安全柵１００は、上部エプロン２４１及び下部エプロン２４２の中に収納される。
【００３３】
このように、エプロン２４は、上部エプロン２４１と下部エプロン２４２とに分割して構成される。これにより、例えば図４に示すように、乗りかご２０がピット１２の緩衝器７０に接触する位置まで下降し、下部エプロン２４２が昇降路１０の床１０ａに衝突した場合であっても、下部エプロン２４２が上部エプロン２４１の中に押し込まれることによって、エプロン２４の損傷を抑制することができる。
【００３４】
また、このとき、エプロン２４の内部に収納される安全柵１００は、上部支柱１１３，１１４が中央かご敷居２３２の下面に突き当たる。すると、上部支柱１１３，１１４が、それぞれ下部支柱１２４，１２５の中に押し込まれる。上部パネル１１１と下部正面パネル１２１とは、表裏方向に重なる。これにより、安全柵１００の損傷が抑制される。
【００３５】
次に、図５，図６を用いて、安全柵１００をエプロン２４から取り出す手順について説明する。
【００３６】
まず、図５に示すように、中央かご敷居２３２を床２１ａに固定しているねじ部材９０を取り外す。そして、中央かご敷居２３２を取り除く。
【００３７】
次に、図６に示すように、上部エプロン２４１の上部開口部２４１０を介して安全柵１００の上部パネル固定部材１１２を引き上げ、エプロン２４から安全柵１００を取り出す。以上により、エプロン２４から安全柵１００が取り出される。
【００３８】
以上のように、本実施の形態１によるエレベーターの乗りかごは、かご室２１のかご敷居２３の下方に、安全柵１００の収納部として機能するエプロン２４を備える。これにより、エレベーターが設置された建物に安全柵１００の保管場所がない場合であっても、エレベーターの保守点検時に、保管場所から安全柵１００を運ぶ必要がなく、短時間で安全柵１００を取り出し、設置することができる。これにより、保守点検時の作業員の負担を軽減することができる。
【００３９】
なお、本実施の形態１では、安全柵１００の収納部であるエプロン２４から安全柵１００を取り出す際に、床２１ａから中央かご敷居２３２を取り除いたが、エプロン２４から安全柵１００を取り出す形態は、これに限るものではない。例えば、図７に示す第１変形例のエレベーターの乗りかご２０Ａのように、中央かご敷居２３２Ａの一端側を床２１ａに回転可能に取り付けてもよい。そして、中央かご敷居２３２Ａの他端側を持ち上げて上部エプロン２４１Ａの上部開口部２４１０Ａを開放してもよい。
【００４０】
また、本実施の形態１では、安全柵１００の全体をエプロン２４の中に収納していたが、安全柵１００の収納状態は、これに限るものではない。例えば、図８に示す第２変形例のエレベーターの乗りかご２０Ｂのように、エプロン２４Ｂの下部開口部２４１１Ｂを介して、下部安全柵１２０Ｂを外部に露出させてもよい。そして、下部安全柵１２０Ｂを、エプロンの一部としてもよい。
【００４１】
この場合、下部安全柵１２０Ｂの下部支柱１２４Ｂ，１２５Ｂの上端部に、それぞれ鍔部１２４０，１２５０を設けて、エプロン２４Ｂの下部開口部２４１１Ｂの縁部２４１２Ｂで支持する。また、下部正面パネル１２１Ｂには、注意を促す模様などを施すとよい。
【００４２】
さらに、図９に示す第３変形例のエレベーターの乗りかご２０Ｃのように、エプロン２４Ｃは安全柵１００Ｃの上部パネル固定部材１１１２Ｃを支持する部分のみとして、安全柵１００Ｃの上部安全柵１１０Ｃ及び下部安全柵１２０Ｃをエプロンとして機能させてもよい。
【００４３】
この場合、安全柵１００Ｃの上部パネル固定部材１１２Ｃを延長して、エプロン２４Ｃの下部開口部２４１１Ｃの縁部２４１２Ｃによって上部パネル固定部材１１２Ｃの両端部を支持する。また、上部パネル１１１Ｃ及び下部正面パネル１２１Ｃには、注意を促す模様などを施すとよい。
【００４４】
なお、本実施の形態１の安全柵１００は、上部安全柵１１０に上部パネル１１１を備え、下部安全柵１２０に下部正面パネル１２１を備えていたが、安全柵１００の構成は、これに限るものではない。例えば、上部パネル１１１と下部正面パネル１２１とを一体化して、ロール状に巻き取られる１枚の幕としてもよいし、蛇腹状の幕としてもよい。
【００４５】
また、本実施の形態１のエプロン２４は、上部エプロン２４１の内部に下部エプロン２４２が押し込まれることによって上下方向に収縮可能とされていたが、エプロン２４の構成は、これに限るものではない。例えば、下部エプロン２４２を上部エプロン２４１の外側に配置して、上部エプロン２４１が下部エプロン２４２の内部に押し込まれるように構成してもよい。
【００４６】
さらに、エプロン２４の全体、または上部エプロン２４１、下部エプロン２４２の少なくとも一方を蛇腹構造として、上下方向に収縮可能としてもよい。
【符号の説明】
【００４７】
１０  昇降路、１０ａ  床、１１  乗降口、１２  ピット、２０，２０Ａ，２０Ｂ，２０Ｃ  乗りかご、２１  かご室、２１ａ  床、２１ｂ  段部、２１ｃ  側面、２２  かご室ドア、２３  かご敷居、２４，２４Ａ，２４Ｂ，２４Ｃ  エプロン（収納部）、３０  主索、４０  巻上機、５０  つり合い錘、６０  制御盤、７０  緩衝器、８０  乗り場ドア、９０，９１  ねじ部材、１００，１００Ａ，１００Ｂ，１００Ｃ  安全柵、１１０，１１０Ｂ，１１０Ｃ  上部安全柵、１２０，１２０Ｂ，１２０Ｃ  下部安全柵、１１１，１１１Ｃ  上部パネル、１１２，１１２Ｃ  上部パネル固定部材、１１３，１１４  上部支柱、１２１，１２１Ｂ，１２１Ｃ  下部正面パネル、１２２，１２３  下部側面パネル、１２４，１２４Ｂ，１２５，１２５Ｂ  下部支柱、２４１，２４１Ａ  上部エプロン（上部収納部）、２４２  下部エプロン（下部収納部）、１２４０，１２５０  鍔部、２４１０，２４１０Ａ，２４１０Ｂ，２４１０Ｃ  上部開口部、２４１１，２４１１Ａ，２４１１Ｂ，２４１１Ｃ  下部開口部、２４１２，２４１２Ａ，２４１２Ｂ，２４１２Ｃ  縁部、２４２０，２４２０Ａ  下部エプロン開口部。
【図１】
2019189401.tif 000003
【図２】
2019189401.tif 000004
【図３】
2019189401.tif 000005
【図４】
2019189401.tif 000006
【図５】
2019189401.tif 000007
【図６】
2019189401.tif 000008
【図７】
2019189401.tif 000009
【図８】
2019189401.tif 000010
【図９】
2019189401.tif 000011